(57)【特許請求の範囲】
【請求項１】
レール上に吊車によって転動自在に吊設された吊下式引き戸の上部を覆うカバーにおいて引き戸１内側の端部に天面が開いた角筒状の覆体ケース３が設けられ、この覆体ケース３の中に、一方の底端部に重錘が取り付けされた帯状の覆体２が収納され、この覆体ケース３の出入口にはこの覆体２を覆体ケース３から滑らかに出入りさせるためのガイドローラ４ａと位置決め用ガイドローラ４ｂとが設けられ、前記覆体２の他方の端部はこの覆体ケース３内から前記両ガイドローラ４ａ、４ｂを通して導き出されて引き戸通過用通路である開口天溝部の天溝端に係止され、この覆体２が引き戸の移動に伴い前記開口天溝部を隠蔽することを特徴とする吊下式引き戸の天溝部隠蔽装置
【請求項２】
引き戸が左右引き分け式の引き戸であり、この引き戸の天溝部の隠蔽はそれぞれの引き戸が請求項１記載の引き戸の構成を持ち、その構成を組み合わせることにより全体が隠蔽されることを特徴とする吊下式引き戸の天溝部隠蔽装置
【発明の詳細な説明】
【０００１】
【産業上の利用分野】
本発明は吊下式引き戸の上部を覆うカバーのうち引き戸が通過する部分の溝空間を隠蔽する装置に関する。
【０００２】
【従来の技術】
従来吊下式引き戸の上部には正面に点検口つきのカバー８が設けられ、引き戸上部に設けられたレール６とか吊車７とかレール上に転動自在に吊設された吊下式引き戸の構成部分等はすべてカバー８内に納められ、正面の点検口は点検カバー９で目隠しされて外観を美しく見せていると同時に塵埃などの内部堆積を防御している。
【０００３】
【発明が解決しようとする課題】
ところがこのカバーのうち引き戸が通過する部分（引き戸見込みと引き戸前後の隙間とを加えた幅を有する帯状の空間部を指し、以後はこれを天溝部と称する）は引き戸が開かれると同時に天溝部も同じく開き、例えば吊下式引き戸が常開式の防火戸として使用された場合などは戸の厚みもあり、天溝部は常時開いた状態のため内部に塵埃も堆積し易く、その堆積物のため非常時に防火戸が閉まらないといった不都合が考えられ、また内部が常時覗き見られるため見苦しいという景観的な問題点があった。
【０００４】
【課題を解決するための手段】
そこで発明者は問題部分の位置に延び収まり自在の構成にした覆いを設けることによってかかる問題点を解決した。すなわち本発明の１つはレール上に吊車によって転動自在に吊設された吊下式引き戸の上部を覆うカバーにおいて引き戸内側の端部に天面が開いた角筒状の覆体ケース３が設けられ、この覆体ケース３の中に、一方の底端部に重錘が取り付けされた帯状の覆体２が収納され、この覆体ケース３の出入口にはこの覆体２を覆体ケース３から滑らかに出入りさせるためのガイドローラ４ａと位置決め用ガイドローラ４ｂとが設けられ、前記覆体２の他方の端部はこの覆体ケース３内から前記両ガイドローラ４ａ、４ｂを通して導き出されて引き戸通過用通路である開口天溝部の天溝端に係止され、この覆体２が引き戸の移動に伴い前記開口天溝部を隠蔽することを特徴とする吊下式引き戸の天溝部隠蔽装置であり、また一つは引き戸が左右引き分け式の引き戸であり、この引き戸の天溝部の隠蔽はそれぞれの引き戸が請求項１記載の引き戸の構成を持ち、その構成を組み合わせることにより全体が隠蔽されることを特徴とする吊下式引き戸の天溝部隠蔽装置である。
【０００５】
本装置を天溝部のうち戸先側のみに用いれば戸先通過空間のみを隠蔽することが出来、戸先・戸尻の両方に用いれば戸先・戸尻の両通過空間部を隠蔽することが出来る。またこの覆体の幅は天溝の幅と同じか又は少し狭い目にして天溝部のみを目隠ししても良いし、天溝の幅より広目にして天溝部全体を覆って塞いでも良く、景観のための目隠し、または防塵を兼ねた隠蔽など目的・用途に応じていろいろ選択すれば良い。また天溝の幅と同じか又は少し狭い目の幅にした覆体を用いる場合は天溝部に覆体はずれ防止ガイドを設けることが好ましく覆体が天溝部から外れずまた覆体の自重による弛みも緩和されて見た目が美しい。
【０００６】
この覆体の移動手段は例えば自動収納の巻尺のように幅広の板バネを用いてケース内から出し入れさせ一方端を縦枠側の天溝部の位置に固着し、他方を引き戸戸先に取り付け、引き戸の移動につれて天溝部を隠蔽する方法、また戸幅より狭い一枚の板バネを覆体とし、この覆体の端部に錘をつけて引き戸戸先天部より引き戸内に引き込み、他端を縦枠側の天溝部の位置に固着し、引き戸の移動につれて引き戸戸先天部より出し入れして天溝部を隠蔽する方法などあり目的用途に応じていずれの方法を用いても良く、またその他の方法を用いても良い。
【０００７】
前者の場合、板バネ自体を覆体として用いても良いし、板バネを巻き込み手段としその端部に平ベルトを連結して平ベルトを覆体としても良く、後者の場合は板バネの代わりに平ベルトを用い平ベルトを覆体としても良い。平ベルトを使用する場合、この平ベルトの材質は布製でも合成樹脂製でもその他の材質であってもよく、用途によって最適な材質を選択すれば良い。
【０００８】
本発明の吊下式引き戸の天溝部隠蔽装置は左右引き分けの両引き戸にも用いることが出来る。その装着方法を説明すると両引きの戸先が合流する所（召し合わせ部）上の天溝部の位置で左引き用、右引き用それぞれのベルト先端を固着し、覆体ケースをそれぞれの引き戸の戸先側に装着すれば良い。すなわち上記装置を召し合わせ部に対して線対称となるように片引き戸への装着方法を実施すれば良い。また、本装置を多重式の片引き戸に取り付けする場合は目的に応じたベルト幅にしたベルトの先端を開口縦枠側の天溝部の位置に固着し、覆体ケースを最も長く移動する引き戸戸先の天溝部の位置に取り付けすれば良く、またベルト先端と覆体ケースの装着位置は互いに入れ替わっても良い。
【０００９】
【作用】
覆体は一方を縦枠側に他方を引き戸戸先側に移動手段を伴って取り付けされるため、引き戸の開閉いずれの移動に対しても対応して覆体は開口天溝部を遮蔽する。また、覆体の幅は天溝幅よりも広い場合は引き戸が開放されるにつれて順次天溝幅の上にかぶさりながら延長されるため天溝部を塞いで塵埃の侵入を防御して更にカバー内部を隠蔽し、覆体の幅が天溝幅よりも狭い場合は塵埃の侵入防御より天溝部隠蔽で下からの景観が損なわれないことが主力になる。
【００１０】
【実施例】
以下本発明の吊下式引き戸の天溝部隠蔽装置を図に基づいて説明すると図１はレール６上に吊車７により吊設され車の転動自在に往復摺動する片引き戸１に本発明実施例１の装置を装着した際の主要部断面図であり、図２は主要部構成説明図である。
【００１１】
実施例１は覆体２として広幅の布製ベルトを使用した。まず本実施例１の装置の構成を説明すると、覆体ケース３は板バネをケース内に巻き込んで渦巻き板バネとし更にその端部に天溝５の幅より広幅の覆体２を連結してこの覆体２をケース内に巻き込んだものであり、覆体２の端部を引っ張ることにより覆体２は覆体ケース３から引っ張り出され、手を離すと渦巻きバネにより自動的に覆体ケース３内に巻き込まれるように構成されている。図１、図２において引き戸１の戸先天面に覆体ケース３が取り付けられ覆体ケース３から出た覆体２が天溝部に接地し易いようにガイドローラ４が戸側から設けられており、ガイドローラ４を通過して引き出された覆体２の先端は凹溝があらかじめ造形された開口縦枠の天溝部（図示せず）の位置に固着したものである。
【００１２】
次に動作を説明すると、引き戸１が全閉時には覆体２は戸先天面に設けられた覆体ケース３の中に入り込んだままである。覆体２の先端はあらかじめ開口縦枠に固着されており、引き戸１を開放するにつれて覆体ケース３から覆体２が引き出されガイドローラ４によって天溝５上を次第に覆ってゆき全開時には開口部の天溝５はすべてが覆体２によって覆われることになる。次に引き戸１が次第に閉じてゆくと閉じるにつれて覆体２の戸開口部以外のものは覆体ケース３内に順次収容されてゆき天溝５のうち開口部の天溝のみが覆体２によって覆われていることになる。したがって引き戸１がどのように移動しても開口部の天溝は覆体によっていつも塞がれていることになり、カバー内部はいつも隠蔽されていることになる。
【００１３】
図３はレール６上に吊車７により吊設され車の転動自在に往復摺動する片引き戸１に本発明実施例２の装置を装着した際の主要部断面図であり、図４は引き戸１の戸先に設けた覆体ケース３と覆体２とガイドローラ４ａ、４ｂとの位置関係を示す主要部の構成説明図である。実施例２は覆体２としてドア幅より狭いナイロン製のベルトを使用した。まず本実施例２の構成を説明すると、引き戸１戸先内部に天部が開かれ覆体２が収容出来る角筒状の覆体ケース３が設けられ、覆体ケース３の開口部には覆体２が導き出されやすいようにガイドローラ４ａが設けられ、更に覆体ケース３から出た覆体２が天溝部に位置決めし易いようにガイドローラ４ｂが引き戸側に設けられており、ガイドローラ４ａ、４ｂを通過して引き出された覆体２の先端部はガイドローラ４を通して凹溝があらかじめ造形された開口縦枠の天溝部（図示せず）の位置に固着されている。一方覆体ケース３内に収納されている側の覆体２端部には重錘（図示せず）が取り付けられていて絶えず開口溝部の覆体がピンと張られるように構成されている。
【００１４】次に動作を説明すると、引き戸１が全閉時には覆体２は重錘によって戸先天面に設けられた覆体ケース３の中に納まったままである。覆体２先端はあらかじめ開口縦枠に固着されており、引き戸１を開放するにつれて覆体ケース３からガイドローラ４ａ、４ｂを通して覆体２が引き出され天溝５を次第に塞いでゆき全開時には開口部天溝５はすべてを覆体２によって塞がれることになる。次に引き戸１が次第に閉じてゆくと閉じるにつれて覆体２の引き戸開口部以外のものは重錘の重みによって覆体ケース３内に順次収納されてゆき天溝５のうち開口部の天溝のみが覆体２によって塞がれていることになる。したがって引き戸１がどのように移動しても開口部の天溝は覆体によっていつも塞がれていることになり、カバーはいつも隠蔽されていることになる。
【００１５】
【発明の効果】
引き戸の移動に伴い覆体が開口天溝部を覆ってゆくため引き戸上部のカバー内は隠蔽状態となり、塵埃が堆積しにくくなってそのために生じるトラブルが解消されると同時にカバー内部も見えなくなって美観が損なわれなくなる。また覆体の幅は天溝幅よりも広い場合は引き戸が開くにつれて順次天溝幅の上にかぶさりながら延長されるため天溝部を塞いで塵埃が侵入出来ないばかりか天溝部が塞がれるため中身が下から見えなくなるし、天溝幅よりも狭い場合は塵埃の侵入が少しは阻まれるが天溝部が塞がれて中身が下から見えなくて景観が損なわれないことが主力になる。
【図面の簡単な説明】
【図１】実施例１を装着した際の主要部断面図
【図２】実施例１の主要部構成説明図
【図３】実施例２を装着した際の主要部断面図
【図４】実施例２の主要部構成説明図
【符号の説明】
１  引き戸
２  覆体
３  覆体ケース
４  ガイドローラ
５  天溝
６  レール
７  吊車
８  カバー
【図１】
0003887715.tif 000002
【図２】
0003887715.tif 000003
【図３】
0003887715.tif 000004
【図４】
0003887715.tif 000005